(57)【要約】【課題】  防振台の構成を簡素化し低コストにすると共に、環状弾性体の半径方向の全周に渡って防振効果を均一化し、モータの振動の伝達を抑えることにより低騒音の防振台を得る。【解決手段】  防振台２は底部２Ｉと壁部２Ｊからなる盆状の弾性体から成り立っており、その壁部２Ｊの外周には嵌合溝２Ａがあり、そこに、取付枠３の嵌合穴３Ａが嵌合されるようになっている。また、底部２Ｉにはカラーホィールモータユニット１等の振動体が取付られる。【選択図】  図１
2009052569.tif 000002
【特許請求の範囲】
【請求項１】
底部と壁部からなる盆形の弾性体からなり、
壁部の外周には、取付枠の穴に嵌合される溝を備え、
底部には振動体が取付られる防振台。
【請求項２】
底部の振動体を取付ける側に突起を備えた請求項１記載の防振台。
【請求項３】
前記突起は、貫通穴又は凹状の座ぐりと、フランジ構造を有する請求項２記載の防振台。
【請求項４】
壁部の外径は先端に向うに従って減少しており、且つ、壁部には先端から溝に達する切欠き部を有する請求項１ないし請求項３のいずれかに記載の防振台。
【請求項５】
振動体を取付るネジのネジ頭の外周が前記切欠き部付近の壁部の内側に接することを特徴とする請求項４記載の防振台。
【請求項６】
円柱形の弾性体からなり、
その外周には、取付枠の穴に嵌合される溝を備え、
前記弾性体の端面には振動体が取付られる防振台。
【発明の詳細な説明】
【技術分野】
【０００１】
この発明は、振動体から発生する振動の伝達を低減する為の防振台に関する。
【背景技術】
【０００２】
従来の防振台は、ステッピングモータ取付用の通しネジまたは通し穴を有するプレートと、それに接着された環状のゴム状弾性体から成る。弾性体には、取付枠との結合のために挿入し易く脱却しにくい２個または４個の爪部分が円周上等間隔で配置されている。これを取付枠の取付穴に嵌合せる構成となっている。（例えば、特許文献１参照）。
【０００３】
【特許文献１】特開２００３−２３２４０３号公報（００１２、００２２−００２３段落、第４図）
【発明の開示】
【発明が解決しようとする課題】
【０００４】
従来の防振台は、プレートと弾性体の２部品で構成されているので、構成が複雑でコスト高になるといった欠点があった。また、取付枠と弾性体は、２又は４箇所の部分的な嵌合のため、環状のゴム状弾性体の半径方向に対し防振効果が不均一となるためモータの振動の伝達が低減しにくいといった問題点もあった。
【０００５】
この発明は、上述のような問題を解決するためになされたもので、構成を簡素化し低コストの防振台を得ると共に、環状弾性体の半径方向の全周に渡って防振効果を均一化し、モータの振動の伝達を抑えることにより低騒音の防振台を得ることを目的とする。
【課題を解決するための手段】
【０００６】
この発明に係る防振台は、底部と壁部からなる盆状の弾性体から成り立っており、その壁部の外周には嵌合溝があり、そこに、取付枠の穴が嵌合されるようになっている。また、底部には振動体が取付られる。
【発明の効果】
【０００７】
この発明は、振動体に防振台を取付る際のプレートが削減できるので、低コストの防振台を得ることができる。さらに、防振台の壁部の外周全面が取付枠に嵌合されるので半径方向の全周に渡って均一な防振効果が得られ、モータの振動の伝達を抑えることができるので、低騒音の防振台を得ることができる。
【発明を実施するための最良の形態】
【０００８】
実施の形態１．
図１−図４は、この発明を実施するための実施の形態１における防振台の全体構成図を示すものである。１はカラーホィールモータユニットであり、カラーホィール１Ａ、ロータ１Ｂ、ステータ１Ｃから構成されている。２は底部と壁部からなる盆形の防振台、２Ａは防振台２の壁部の外周面にある嵌合溝であり、取付枠３の円形状の嵌合穴３Ａと嵌合する構成となっている。防振台２は、その壁部の外径が先端に向うに従って減少するテーパ部２Ｂを有しており、且つ、壁部には先端から嵌合溝２Ａに達する切欠き部２Ｃを有する。２Ｄは凸状の突起、２Ｇは突起の穴、４は取付ネジ、４Ａは取付ネジ頭である。図１はカラーホィールモータユニット１と防振台２と取付枠３が分離された状態であり、図２は防振台２を取付枠３に嵌合した状態である。図３はさらにカラーホィールモータユニット１を取付ネジ４で取付た状態であり、図４はそれを取付枠３側から見た図である。それぞれの構成部品の詳細について以下に説明する。
【０００９】
投射型テレビジョンは、スクリーン上に映像を投射する為に、光学エンジンを搭載している。この光学エンジンの中では、映像色を出す為にＲＧＢ色等から構成される円盤のカラーフィルターを高速回転させて色切替えを行っている。このＲＧＢ色等から構成される円盤のカラーフィルターがカラーホィール１Ａである。ロータ１Ｂは、マグネットとこのマグネット及びカラーホィール１Ａを保持する為の円筒状の板金より構成され、カラーホィール１Ａを回転させる為の部材である。ステータ１Ｃは、巻線コイルより構成され、そのコイルに電流を流し、ロータ１Ｂを回転させる為の機能を有し、回転しない固定部材である。なお、ここでは振動体としてカラーホィールモータユニットを例にあげているが、ステッピングモータや、その他回転等によって振動を発するモータなどでも良い。
【００１０】
防振台２は、カラーホィールモータユニット１等の振動体から発生する振動を低減する為の部材で、ゴム等の弾性体で構成されている。図５−図７に防振台の詳細図を示す。図５は防振台２をカラーホィールモータユニット１に接する側から見た図であり、壁部の外周には嵌合溝２Ａがあり、全周で取付枠３と嵌合される構成となっている。防振台２は、モータ軸方向の振動をより低減する為に、ステータ１Ｃと接触する面に突起２Ｄを設けている。図６は取付枠３側から見た図であり、取付枠３に防振台２が容易に挿入できるように、テーパ部２Ｂと切欠き部２Ｃを有す。カラーホィールモータユニット１を取付ける為の取付ネジ穴２Ｆと切欠き部２Ｃは防振台２の中心から見て同一方向に配置されており、カラーホィールモータユニット１を取付ネジ４で取付け後は、取付ネジ頭４Ａの外周が切欠き部２Ｃ付近の壁部の内側に接して固定され、防振台２が取付枠３から外れない形状となっている。図７は図６のＸ−Ｘ’断面図である。図８（ａ）−図８（ｌ）は突起２Ｄの種々の断面形状を示す。これらの内、図８（ａ）−図８（ｈ）、図（ｊ）の突起２Ｄには、ステータ１Ｃと接触する面側にフランジ部２Ｅを有する。図８（ａ）は取付ネジ穴２Ｆを有し、取付ネジ４側にもフランジ部２Ｅ付の突起２Ｄを備えている。この場合、カラーホィールモータユニット１からのネジを介して伝わる振動をより減衰させることができる。図８（ｂ）の突起２Ｄは、突起の穴２Ｇを有し、図８（ｃ）は凹状の座ぐり２Ｈを有する。図８（ｄ）−図８（ｆ）は座ぐり２Ｈを有する円錐形の突起であるが、円錐形の方向が異なる。そのため、図８（ｅ）、図８（ｆ）においては、円錐形の裾野がフランジ部を兼ねている。なお、図８（ｆ）は座ぐり２Ｈも円錐台形である。図８（ｇ）−図８（ｉ）は座ぐり２Ｈや突起の穴２Ｇを有さない突起２Ｄの断面図である。図８（ｇ）は円錐台形であり、図８（ｈ）は円柱状であり、共にフランジ部２Ｅを有するが、図８（ｉ）はフランジ部を有さない円柱形の最もシンプルな突起２Ｄである。図８（ｊ）、図８（ｋ）は突起２Ｄが２重になったものであるが、図８（ｋ）は、フランジ部を有さない。図８（ｌ）は座ぐり２Ｈは有るがフランジ部が無い突起２Ｄである。なお、ここでは円形を考えているが、楕円形や、多角形でも良い。
【００１１】
取付枠３は、カラーホィールモータユニット１を光学エンジン本体に固定する為の、例えば、金属或いは成型品等で構成される部材である。この取付枠３上には、カラーホィールモータユニット１及び防振台２を固定する為の円形状の嵌合穴３Ａを有する。
【００１２】
図９には、突起２Ｄに凹状の座ぐり（図８（ｃ））を有する防振台２に、カラーホィールモータユニット１と取付枠３を取付けた組立図を示す。この図において、左側の図は横から見た断面図、右側の図は取付枠３側から見た正面図を示す。このように構成された防振台２は、カラーホィールモータユニット１等の振動体を取付る際のプレートが削減できるので、低コストの防振台を得ることができる。さらに、盆形の防振台２の壁部２Ｊの外周全面が取付枠３に嵌合されているので、半径方向の全周に渡って均一な防振効果が得られるので、低騒音の防振台が得られる。また、取付ネジ４が取付枠３に接触しないのでモータからの振動の伝達が抑えられ、より低騒音の防振台が得られる。底部２Ｉには凸状で貫通穴又は凹状の座ぐりを有する突起２Ｄを備えているので、弾力を有する。そのためモータ軸方向の振動が低減でき、いっそう低騒音の防振台を得ることができる。このような効果があるため、カラーホィールモータユニット１が回転することにより発生する振動が、取付枠３を経由し光学エンジン及び投射型テレビジョンへ伝達することが抑えられるので、静かな投影型テレビジョンを製作することができる。
【００１３】
なお、壁部２Ｊの外周全面に渡って嵌合されるので、剛性が上がり、重いカラーホィールモータユニットを使用しても防振台が外れにくくなるといった効果もある。また、テーパ部２Ｂと切欠き部２Ｃがあるので、取付枠に挿入しやすく、組立てが容易という効果もある。さらに、取付ネジ頭４Ａの外周が切欠き部２Ｃ付近の壁部を内側から押さえるので防振台が外れにくくなる。なお、突起２Ｄにはフランジ２Ｅを有するので、カラーホィールモータユニット１との接触面積が多くなり、取付けが安定するといった効果もある。
【００１４】
実施の形態２．
図１０と図１１には、突起２Ｄが無い防振台２を用いた組立図を示す。図１０は盆状の弾性体、図１１は円柱形の弾性体を用いている。これらの図において、左側の図は横から見た断面図、右側の図は取付枠３側から見た正面図を示す。なお、これらの図では、テーパ部２Ｂや切欠き部２Ｃは無いが、これらがあっても良い。
【００１５】
このように構成された防振台は、カラーホィールモータユニット１等の振動体を取付る際のプレートが削減できると共に、構造がシンプルなので、低コストの防振台を得ることができる。さらに、盆形の底部２Ｉや円形の端面２Ｋの全面に渡ってカラーホィールモータユニット１と接触しており、また、外周全面の嵌合溝２Ａで取付枠３に嵌合されているため、どの半径方向の振動に対しても均一な防振効果を有し、取付ネジ４が取付枠３に接していないのでモータからの振動の伝達が抑えられるので、低騒音の防振台が得られる。さらに、図１０の防振台では取付ネジ頭で盆状弾性体の壁部２Ｊを内側から抑えるので、防振台が外れにくいという効果もある。
【００１６】
実施の形態３．
上記実施の形態１では、防振台２の中心に対して突起２Ｄが均等な配置となっている。しかし、カラーホィールモータユニット１が重かったり、長い場合は下向きの大きなモーメントが発生するため、ステータ１Ｃの下側にある突起２Ｄには大きな力がかかり、突起２Ｄが座屈することがある。そのため、図１２に示すように防振台２の下側に突起２Ｄを多く配置しても良い。また、突起の肉厚を厚くして剛性を高めてもよく、場合によってはさらに剛性を上げるため、突起の穴２Ｇや座ぐり２Ｈが無い図８（ｇ）−図８（ｉ）の突起２Ｄでも良い。なお、図１２において、左側の図は横から見た断面図、右側の図は取付枠３側から見た正面図を示す。
【００１７】
このように構成された防振台２は、カラーホィールモータユニット１等の振動体を取付る際のプレートが削減できるので、低コストの防振台を得ることができる。さらに、盆形の防振台２の壁部２Ｊの外周全面が取付枠３に嵌合されているので、半径方向の全周に渡って均一な防振効果が得られ、また、取付ネジ４が取付枠３に接触しないのでモータからの振動の伝達が押さられるので、低騒音の防振台が得られる。さらに、カラーホィールモータユニット１等の振動体の重さや長さに関連したモーメントに応じ、突起２Ｄの配置や肉厚を変えるので、突起が座屈することなく剛性を確保できるので、防振効果を発揮する事が可能となり、低騒音の防振台が得られる。
【００１８】
実施の形態４．
上記実施の形態１、３では、防振台２の中心に対して複数個の突起２Ｄを配置している。突起２Ｄの数が増えれ増えるほど、半径方向の振動に対し均一性が確保出来るが、数が少ない時は、半径方向の振動に依存性が発生する。そのため、図１３、図１４に示すように中央に大きな突起２Ｄを１個配置しても良い。これらの図において、左側の図は横から見た断面図、右側の図は取付枠３側から見た正面図を示す。図１３では、突起２Ｄの中に取付ネジが入っている構成であるが、図１４のように、突起２Ｄの外にあってもかまわない。また、突起は単一のフランジを有しているが、図８（ｊ）のように２重のフランジ部２Ｅで構成されていてもよい。さらに、フランジはカラーホィールモータユニット１等の振動体との接触面積を確保するためであるから、十分な接触面積が確保できる時は図８（ｋ）、図８（ｌ）のようにフランジ部２Ｅが無くても良い。
【００１９】
このように構成された防振台は、カラーホィールモータユニット１等の振動体を取付る際のプレートが削減できるので、低コストの防振台を得ることができる。さらに、取付ネジ４が取付枠３に接触しないのでモータからの振動の伝達が押さえられ、中央に大きな円形の突起があるとともに、壁部２Ｊの外周全面が取付枠３に嵌合されているので、カラーホィールモータユニット１の軸方向の振動と、半径方向の振動が合成された、立体的なあらゆる方向の振動に対し均一な防振効果を持つ事が出来る。そのため、より低騒音の防振台を得ることができる。
【図面の簡単な説明】
【００２０】
【図１】この発明の実施の形態１を示す防振台の全体構成図である。
【図２】この発明の実施の形態１を示す防振台の全体構成図である。
【図３】この発明の実施の形態１を示す防振台の全体構成図である。
【図４】この発明の実施の形態１を示す防振台の全体構成図である。
【図５】この発明の実施の形態１を示す防振台の詳細図である。
【図６】この発明の実施の形態１を示す防振台の詳細図である。
【図７】この発明の実施の形態１を示す防振台の断面図である。
【図８】この発明の実施の形態１を示す突起の断面図である。
【図９】この発明の実施の形態１を示す防振台の組立図である。
【図１０】この発明の実施の形態２を示す防振台の組立図である。
【図１１】この発明の実施の形態２を示す防振台の組立図である。
【図１２】この発明の実施の形態３を示す防振台の組立図である。
【図１３】この発明の実施の形態４を示す防振台の組立図である。
【図１４】この発明の実施の形態４を示す防振台の組立図である。
【符号の説明】
【００２１】
１  カラーホィールモータユニット
１Ａ  カラーホィール
１Ｂ  ロータ
１Ｃ  ステータ
２  防振台
２Ａ  嵌合溝
２Ｂ  テーパ部
２Ｃ  切欠き部
２Ｄ  突起
２Ｅ  フランジ部
２Ｆ  取付ネジ穴
２Ｇ  突起の穴
２Ｈ  座ぐり
２Ｉ  底部
２Ｊ  壁部
２Ｋ  端面
３  取付枠
３Ａ  嵌合穴
４  取付ネジ
４Ａ  取付ネジ頭
【図１】
2009052569.tif 000003
【図２】
2009052569.tif 000004
【図３】
2009052569.tif 000005
【図４】
2009052569.tif 000006
【図５】
2009052569.tif 000007
【図６】
2009052569.tif 000008
【図７】
2009052569.tif 000009
【図８】
2009052569.tif 000010
【図９】
2009052569.tif 000011
【図１０】
2009052569.tif 000012
【図１１】
2009052569.tif 000013
【図１２】
2009052569.tif 000014
【図１３】
2009052569.tif 000015
【図１４】
2009052569.tif 000016